(57)【要約】【課題】浴槽の姿勢を容易に調節可能な浴槽の高さ調節具を提供する。【解決手段】基台１２と、上下方向に積層された複数の高さ調整材１４で構成され、かつ基台１２に積層可能な積層部１３と、を備え、基台１２の上面に第一の穴が複数形成され、高さ調整材１４の底面に前記第一の穴のうち少なくとも二以上の穴のそれぞれに挿抜可能な突出部が複数形成され、高さ調整材１４の上面１４ａに前記突出部を挿抜可能な第二の穴１５が複数形成されている。【選択図】図６
2018051182.tif 000002
【特許請求の範囲】
【請求項１】
浴槽の姿勢を調整するための浴槽の姿勢調整具において、
基台と、
上下方向に積層された複数の高さ調整材で構成され、かつ前記基台に積層可能な積層部と、を備え、
前記基台の上面に第一の穴が複数形成され、
前記高さ調整材の底面に、前記第一の穴のうち少なくとも二以上の穴のそれぞれに挿抜可能な突出部が複数形成され、
前記高さ調整材の上面に、前記突出部を挿抜可能な第二の穴が複数形成されていることを特徴とする浴槽の高さ調節具。
【請求項２】
前記突出部は、前記高さ調整材の底面から下方に向けて窄まるように側面視テーパー状に形成され、
前記基台の上面には、前記高さ調整材の底面から所定の長さ分下降した位置の前記突出部の大きさに合うように、大きさの異なる複数の前記第一の穴が形成されている請求項１に記載の浴槽の高さ調節具。
【請求項３】
前記突出部は、前記高さ調整材の底面から下方に向けて小さくなるように側面視階段状に形成され、
前記基台の上面には、前記高さ調整材の底面から所定の長さ分下降した位置の前記突出部の大きさに合うように、大きさの異なる複数の前記第一の穴が形成されている請求項１に記載の浴槽の高さ調節具。
【発明の詳細な説明】
【技術分野】
【０００１】
本発明は、浴槽の高さを調整するために用いられる浴槽の高さ調節具に関する。
【背景技術】
【０００２】
近年、多くの住宅にはユニットバスが設けられている。一般的なユニットバスは、洗い場と、洗い場に隣接して設けられた浴槽と、浴槽の洗い場側の側面を覆うエプロンと、を備えている。例えば、特許文献１には、平面視コの字状に形成された金属製フレームによって、浴槽の上端から張り出している部分が下方から支持されているユニットバスが開示されている。このユニットバスでは、金属製フレームは、床の上に配置された下端水平支持部材によって支持されている。また、浴槽は、支持脚を介して下端水平支持部材に支持されている。支持脚としては、例えば枕木状の金属パイプ、木材等が挙げられている。
【０００３】
上述の特許文献１に記載されている浴槽を始めとして、一般に、浴槽には、少なくとも下方から浴槽の姿勢を調整する器具、例えば前述の支持脚のように浴槽を下方から支持しつつ浴槽の姿勢を調節する器具が設けられている。
【先行技術文献】
【特許文献】
【０００４】
【特許文献１】特開２００１−１７８６５０号公報
【発明の概要】
【発明が解決しようとする課題】
【０００５】
例えば、浴槽の高さ等を変えて姿勢を調節するための器具（以下、「高さ調節具」とする）として、平面視長方形の木製の基台と、上下方向に積層された複数の木製の板材で構成され、かつ、基台の上面の一部に積層された積層部と、を備えた高さ調節具がある。板材の大きさや数は、浴槽の形状を勘案して適宜設定されている。また、基台と板材、および、上下方向に積層された板材同士は、接着剤で接着されている。
【０００６】
しかしながら、上述の高さ調節具では、基本的に板材同士の接着を複数回繰り返すうえに、接着剤が乾燥するまで待つ必要が有るため、積層部の形成や設置に時間がかかり、浴槽の姿勢を調節するのに時間と手間がかかるという問題があった。
【０００７】
本発明は、上述の事情を鑑みてなされたものであり、浴槽の姿勢を容易に調節可能な浴槽の高さ調節具を提供する。
【課題を解決するための手段】
【０００８】
本発明に係る浴槽の高さ調節具は、浴槽の姿勢を調整するための浴槽の姿勢調整具において、基台と、上下方向に積層された複数の高さ調整材で構成され、かつ前記基台に積層可能な積層部と、を備え、前記基台の上面に第一の穴が複数形成され、前記高さ調整材の底面に前記第一の穴のうち少なくとも二以上の穴のそれぞれに挿抜可能な突出部が複数形成され、前記高さ調整材の上面に前記突出部を挿抜可能な第二の穴が複数形成されていることを特徴とする。
【０００９】
上述の構成によれば、高さ調整材の突出部を基台の第一の穴に挿入し、挿入した高さ調整材とは別の高さ調整材の突出部を基台に積層した高さ調整材の第二の穴に挿入していけば、接着剤等を用いずに、容易に短時間で積層部が構成されるとともに、基台に積層部が積層され、必要に応じて高さ調整材同士を容易に取り外し可能となり、積層部を基台から容易に取り外し可能となる。
【００１０】
上述の浴槽の高さ調節具では、前記突出部は、前記高さ調整材の底面から下方に向けて窄まるように側面視テーパー状に形成され、前記基台の上面には、前記高さ調整材の底面から所定の長さ分下降した位置の前記突出部の大きさに合うように、大きさの異なる複数の前記第一の穴が形成されていてもよい。
【００１１】
上述の構成によれば、高さ調整材の突出部が基台の第一の穴に挿入された際に、第一の穴の大きさに応じて、突出部が挿入される深さが変わる。これにより、積層部の高さが上下方向における高さ調整材の数を調整する場合に比べて微調整される。また、突出部が側面視テーパー状で形成されるので、高さ調整材を製造し易い。
【００１２】
上述の浴槽の高さ調節具では、前記突出部は、前記高さ調整材の底面から下方に向けて小さくなるように側面視階段状に形成され、前記基台の上面には、前記高さ調整材の底面から所定の長さ分下降した位置の前記突出部の大きさに合うように、大きさの異なる複数の前記第一の穴が形成されていてもよい。
【００１３】
上述の構成によれば、高さ調整材の突出部が基台の第一の穴に挿入された際に、第一の穴の大きさに応じて、突出部が挿入される深さが変わる。これにより、積層部の高さが上下方向における高さ調整材の数を調整する場合に比べて微調整される。また、突出部の少なくとも一部が第一の穴に嵌合するので、積層部の高さおよび浴槽の姿勢が安定する。
【発明の効果】
【００１４】
本発明に係る浴槽の高さ調節具によれば、浴槽の姿勢を容易に調節することができる。
【図面の簡単な説明】
【００１５】
【図１】本発明を適用した一実施形態の浴槽の高さ調節具を用いた浴室設備の構成例を示す斜視図である。
【図２】本発明を適用した一実施形態の浴槽の高さ調節具を構成する基台の平面図である。
【図３】本発明を適用した一実施形態の浴槽の高さ調節具を構成する高さ調整材の側面図である。
【図４】本発明を適用した一実施形態の浴槽の高さ調節具を構成する高さ調整材の側面図であり、図３に示す領域Ｒの拡大図である。
【図５】本発明を適用した一実施形態の浴槽の高さ調節具を構成する高さ調整材の平面図である。
【図６】本発明を適用した一実施形態の浴槽の高さ調節具を示す斜視図である。
【図７】本発明を適用した一実施形態の浴槽の高さ調節具を示す別の斜視図である。
【図８】本発明を適用した一実施形態の浴槽の高さ調節具を構成する高さ調整材の変形例の側面図であり、図３に示す領域Ｒの拡大図に対応する図である。
【発明を実施するための形態】
【００１６】
以下、本発明を適用した浴槽の姿勢調整具の一実施形態について、図面を参照して説明する。なお、以下の説明で用いる図面は模式的なものであり、長さ、幅、及び厚みの比率等は実際のものと同一とは限らず、適宜変更することができる。
【００１７】
図１に示すように、本実施形態の高さ調節具（浴槽の高さ調節具）１０は、浴室設備２の浴槽５の下方に配置され、浴槽５の上下方向（すなわち、高さ方向）及び水平方向に対する姿勢を調整するためのものである。なお、以下に説明する浴室設備２および浴槽５の構成は、高さ調節具１０を配置する対象となる浴室設備や浴槽の一例である。高さ調節具１０を配置する対象となる浴室設備や浴槽の構成は、特に限定されず、公知のものであってよい。以下では、浴室設備２および浴槽５の主要部分を説明し、変更自在な特徴等についてはその説明を省略する。
【００１８】
浴室設備２は、いわゆるユニットバスを構成するものであり、基本的には、洗い場３と、洗い場３の排水溝９側の端部から立ち上がるエプロン（図示略）と、エプロンの上端に連設され、かつ、エプロンを挟んで洗い場３とは反対側に配置された浴槽５と、を備えている。エプロンは、洗い場３と面一とされている床面６の上に配置されたフレーム７の洗い場３側の側壁７ｗに設けられている。フレーム７の内部へのアクセスを円滑にする観点から、側壁７ｗには、開口部８が形成されている。
【００１９】
浴槽５は、平面視略楕円状に形成された有底の槽部材である。浴槽５の意匠性および止水性を確保する観点から、浴槽５の上端縁には、外側に向けて張り出した張出部５Ｆが設けられている。張出部５Ｆの外周縁は、フレーム７の上部の外周縁に一致している。浴槽５の張出部５Ｆは、フレーム７の上部に係止可能とされている。不図示の適当な緩衝剤を介在させてフレーム７の上部に浴槽５の張出部５Ｆを上方から載せて、浴槽５をフレーム７に設置することで、浴槽５は、基本的にはフレーム７によって下方から支持されている。
【００２０】
高さ調節具１０は、上述のようにフレーム７に係止される浴槽５の姿勢を下方から調整するために、床面６の上に設置され、浴槽５の底面５ｂの四方の姿勢調整位置Ｐ１，Ｐ２，Ｐ３，Ｐ４に下方から接している。浴槽５の姿勢調整位置Ｐの配置および数は、浴槽５のタイプや形状に合わせて適宜変更される。
【００２１】
高さ調節具１０は、基台１２と、平面視長尺な基台１２の両端部１２Ｘ，１２Ｙに積層された積層部１３と、を備えている。積層部１３は、上下方向に積層された複数の高さ調整材１４で構成されている。
【００２２】
本実施形態では、基台１２の大きさを抑える観点から、浴槽５の四方の姿勢調整位置Ｐ１，Ｐ２，Ｐ３，Ｐ４のうち、離間距離が短い方の２組の姿勢調整位置Ｐ１・Ｐ２と姿勢調整位置Ｐ３・Ｐ４のそれぞれの組に下方から接する高さ調節具１０Ａ，１０Ｂが用いられている。したがって、高さ調節具１０Ａ，１０Ｂのそれぞれの基台１２は、姿勢調整位置Ｐ１・Ｐ２と姿勢調整位置Ｐ３・Ｐ４のそれぞれの離間距離と略等しい長さを有している。高さ調節具１０Ａ，１０Ｂのそれぞれの基台１２の両端部１２Ｘ，１２Ｙに積層された積層部１３の最上部の高さ調整材１４の上面１４ａは、姿勢調整位置Ｐ１・Ｐ２と姿勢調整位置Ｐ３・Ｐ４のそれぞれに当接するようになっている。
なお、以下の高さ調節具１０Ａ，１０Ｂの説明において、高さ調節具１０Ａ，１０Ｂを区別する必要がない場合は、高さ調節具１０Ａ，１０Ｂをまとめて高さ調節具１０として記載する。
【００２３】
図２に示すように、基台１２の上面１２ａには、複数の第一の穴１６が形成されている。
第一の穴１６には、互いに大きさの異なる３個の穴１６ａ，１６ｂ，１６ｃがある。高さ調整材１４の四隅のそれぞれに対応する位置に、３個の穴１６ａ，１６ｂ，１６ｃが形成されている。すなわち、穴１６ａ，１６ｂ，１６ｃは、高さ調整材１４の四隅に対応するように形成され、４個で一組をなしている。各組の４個の穴１６ａ，１６ｂ，１６ｃの相対的な配置は、高さ調整材１４の四隅に合わせられている。高さ調整材１４の四隅のそれぞれに対応する位置において、基台１２の長手方向の両端から中央に向かう方向に沿って、穴１６ａ，１６ｂ，１６ｃが大きさの大きい順に配置されている。
【００２４】
図１および図３から図５に示すように、高さ調整材１４は、後述する突出部２０を除いて平面視正方形かつ側面視矩形のブロック状に形成されている。高さ調整材１４の平面視の大きさは、基材１２の大きさに合わせて設定されている。また、積層部１３の上下方向に積層される高さ調整材１４の数で積層部１３の高さを容易に変更可能とする観点から、高さ調整材１４の厚みは、浴槽５の姿勢を調整し易いように適切に設定されている。
【００２５】
図３に示すように、高さ調整材１４の底面１４ｂの四隅には、基台１２に形成されている第一の穴１６のいずれかの穴１６ａ，１６ｂ，１６ｃに挿抜可能な突出部２０が形成されている。
【００２６】
図４に示すように、突出部２０は、高さ調整材１４の底面１４ｂから下方に向けて窄まるように側面視テーパー状に形成され、窄まった大きさを保持しつつ下方に向けて僅かに伸びている。すなわち、突出部２０は、側面視テーパー状に形成されたテーパー部２１と、テーパー部２１の下方に連接し、かつ側面視で一定の大きさで形成された延出部２２と、を備えている。
【００２７】
テーパー部２１の最上部の大きさｗ１は、基台１２に形成されている第一の穴１６のうち最も大きい穴１６ａの大きさに合っている。テーパー部２１の底部および延出部２２のそれぞれの大きさｗ２は、第一の穴１６のうち最も小さい穴１６ｃの大きさに合っている。テーパー部２１において、高さ調整材１４の底面１４ｂからテーパー部２１の全長の略半分下降した位置の大きさに合っている。
【００２８】
言い換えれば、基台１２に形成されている第一の穴１６を構成する穴１６ａ，１６ｂ，１６ｃの大きさは、高さ調整材１４の底面１４ｂから所定の長さ分下降した位置の突出部２０の大きさに合わせて設定されている（図２参照）。したがって、突出部２０のテーパー部２１の大きさｗ１，ｗ２や深さは、高さ調整材１４の大きさを勘案し、浴槽５の姿勢を微調整するために好適な大きさで適切に設定されている。
【００２９】
図５に示すように、高さ調整材１４の上面１４ａの四隅には、この高さ調整材１４の上に積層される別の高さ調整材１４の突出部２０を挿抜可能な第二の穴１５が形成されている。第二の穴１５の形状は、突出部２０の形状に合っている。即ち、第二の穴１５は、突出部２０を嵌合可能とするように形成されている（図３参照）。
【００３０】
なお、積層部１３を基台１２で安定させる観点から、突出部２０は、第一の穴１６または第二の穴１５のうち少なくとも二以上の穴のそれぞれに挿抜可能となるように設けられている。積層部１３を基台１２で確実に安定させる観点から、１つの高さ調整材１４における突出部２０の数、基台１２に形成される一組の穴１６ａ，１６ｂ，１６ｃの数および１つの高さ調整材１４における第二の穴１５の数は、４個以上６個以下であることが好ましく、本実施形態のように４個であることがより好ましい。
【００３１】
上述の構成を備える基台１２および高さ調整材１４を構成する素材は、特に限定されないが、下方から浴槽５の姿勢を調節可能な程度の強度を有する樹脂等である。このような樹脂としては、例えばポリプロプレン、ポリ塩化ビニルが挙げられる。
図２から図７に例示するように、基台１２および高さ調整材１４の軽量化を図る観点から、基台１２の上面１２ａおよび高さ調整材１４の上面１４ａには、複数の穴が形成されている。すなわち、基台１２および高さ調整材１４は、所謂肉抜きされている。
【００３２】
以上説明した高さ調節具１０によれば、高さ調整材１４Ａの突出部２０を基台１２の第一の穴１６に挿入し、高さ調整材１４Ａとは別の高さ調整材１４Ｂの突出部２０を高さ調整材１４Ａの第二の穴１５に挿入することで、接着剤等を用いずに、容易に短時間で積層部１３を構成するとともに、図６および図７に示すように、基台１２に積層部１３を積層することができる。また、必要に応じて高さ調整材１４Ａ，１４Ｂ同士を容易に取り外すことができ、積層部１３を基台１２から容易に取り外すこともできる。そのため、従来、接着剤を用いて高さ調整材１４同士を接着していた場合のように、高さ調整材１４を複数積層する際に接着剤を乾燥させるために待ち時間を確保する必要がなく、浴槽５の姿勢を調節する時間が短縮され、作業効率が高くなる。
【００３３】
また、本実施形態の高さ調節具１０によれば、高さ調整材１４Ａの突出部２０を基台１２の第一の穴１６に挿入する際に、第一の穴１６の大きさに応じて、すなわち突出部２０を挿入する穴１６ａ，１６ｂ，１６ｃを切り替えることで、突出部２０が挿入される深さが変わり、基台１２の上面１２ａからの積層部１３の高さを変更することができる（図６および図７参照）。そのため、積層部１３の高さを上下方向における高さ調整材１４の数を調整する場合に比べて微調整することができる。また、従来、接着剤を用いて高さ調整材１４同士を接着していた場合や、ゴムシート等を用いて高さ調整材１４同士の間隔を調整していた場合のように、接着剤やゴムシートの厚みのばらつきが生じることで浴槽５の姿勢の調整精度が低下することもなく、作業効率がより一層高くなる。
【００３４】
なお、図６は、高さ調整材１４Ａの突出部２０を基台１２の第一の穴１６のうち最も大きな穴１６ａに挿入した場合を例示している。また、図７は、高さ調整材１４Ａの突出部２０を基台１２の第一の穴１６のうち最も小さい穴１６ａに挿入した場合を例示している。図６と図７を見比べると、高さ調整材１４Ａの突出部２０を挿入する第一の穴１６を最も大きな穴１６ａから最も小さい穴１６ｂに切り替えることで、積層部１３の高さが高くなっていることがわかる。このように積層部１３の高さを微調整することで、図１に示す浴槽５の高さおよび姿勢を精度良く調整することができる。
【００３５】
例えば、高さ調整材１４Ａ，１４Ｂの厚みを３０ｍｍ程度とし、高さ調整材１４Ａ，１４Ｂのテーパー部２１の最上部の大きさｗ１を６ｍｍ程度とし、テーパー部２１の略中央の高さにおける大きさｗ３を５ｍｍ程度とし、テーパー部２１の底部および延出部２２の大きさｗ２を４ｍｍ程度とすることができる。その場合、積層部１３を構成する高さ調整材１４の数を調整することで、基台１２の上面１２ａからの積層部１３の高さを３０ｍｍごとに調整することができる。そして、積層部１３の底部の高さ調整材１４Ａの突出部２０を挿入する穴１６ａ，１６ｂ，１６ｃを切り替えることで、基台１２の上面１２ａからの積層部１３の高さを１ｍｍごとに調整することができる。
【００３６】
また、本実施形態の高さ調節具１０では、突出部２０が側面視テーパー状で形成されているので、高さ調整材１４の突出部２０を製造し易い。
【００３７】
以上、本発明の好ましい実施形態について詳述したが、本発明は係る特定の実施形態に限定されるものではなく、特許請求の範囲内に記載された本発明の要旨の範囲内において、種々の変形・変更が可能である。
【００３８】
例えば、図２では、浴槽５の四方の姿勢調整位置Ｐ１，Ｐ２，Ｐ３，Ｐ４のうち、離間距離が短い方の２組の姿勢調整位置Ｐ１・Ｐ２と姿勢調整位置Ｐ３・Ｐ４のそれぞれの組に下方から接する高さ調節具１０Ａ，１０Ｂを例示したが、これらの高さ調節具に替えて離間距離が長い方の２組の姿勢調整位置Ｐ１・Ｐ３と姿勢調整位置Ｐ２・Ｐ４のそれぞれの組に下方から接する高さ調節具を２つ用いてもよく、姿勢調整位置Ｐ１・Ｐ２・Ｐ３・Ｐ４の全てに下方から接する高さ調節具を１つだけ用いても構わない。これに応じて、基台１２の形状も適宜変更される。積層部１３は、基台１２の四隅に積層されていてもよい。
【００３９】
また、上述のように第一の穴１６のうち各組を構成する穴１６ａ，１６ｂ，１６ｃ同士の相対位置が高さ調整材１４に合わせて所定のように保持され、積層部１３の最上部の高さ調整材１４の上面１４ａが姿勢調整位置Ｐに当接可能であれば、基台１２の上面１２ａにおいて各組の穴１６ａ，１６ｂ，１６ｃが形成される位置は、特に制限されない。すなわち、基台１２の長手方向の両端から中央に向かう方向に沿って、穴１６ｃ，１６ｂ，１６aの順に配置されていてもよく、穴１６ｂ，１６ｃ，１６aの順に配置されていてもよい。
【００４０】
例えば、高さ調整材１４の底面１４ｂには、側面視テーパー状に形成された突出部２０に替えて、図８に示すように、高さ調整材１４の底面１４ｂから下方に向けて小さくなるように側面視階段状に形成された突出部２５が設けられていてもよい。すなわち、突出部２５は、高さ調整材１４の底面１４ｂから下方に向けて、突出部２０のテーパー部２１の大きさｗ１と同じ大きさを有する段部２３と、テーパー部２１の大きさｗ３と同じ大きさを有する段部２４と、大きさｗ２の延出部２２をこの順に備えている。
【００４１】
図８に示す上述の構成を備えることで、高さ調整材１４に突出部２０が設けられた高さ調節具１０と同様の作用効果が得られ、５突出部２５を挿入する穴１６ａ，１６ｂ，１６ｃを切り替えることで、突出部２５が挿入される深さを変え、基台１２の上面１２ａからの積層部１３の高さを容易に変更することができる。また、図８に示す構成によれば、突出部２５を穴１６ａに挿入すると段部２３が嵌合され、突出部２５を穴１６ｂに挿入すると段部２４が嵌合され、言うまでもなく突出部２５を穴１６ｃに挿入すると突出部２５の延出部２２が嵌合される。すなわち、突出部２５を挿入する穴１６ａ，１６ｂ，１６ｃを切り替えても、突出部２５のいずれかの段部２３，２４または延出部２２が穴１６ａ，１６ｂ，１６ｃの何れかに嵌合するので、基台１２に積層した積層部１３を安定させることができる。
【００４２】
また、高さ調整材１４の上面１４ａに形成されている第二の穴１５は、少なくともこの高さ調整材１４の上に積層される別の高さ調整材１４の突出部２０を挿抜可能であればよく、例えば高さ調整材１４の上面１４ａから下降する方向において、突出部２０の最上部の大きさｗ１で均一に形成されていてもよい。高さ調整材１４の強度が所定以上に保持されれば、突出部２０の直上の部分以外の第二の穴１５は高さ調整材１４の上面１４ａから底面１４ｂに貫通していても構わない。
【００４３】
さらに、第二の穴１５は、第一の穴１６と同様に、互いに大きさの異なる複数の穴で構成されていてもよい。このような構成によれば、高さ調整材１４Ｂの突出部２０を高さ調整材１４Ａの第二の穴１５に挿入した際に、第二の穴１５の大きさに応じて、突出部２０が挿入される深さが変わり、基台１２の上面１２ａからの積層部１３の高さを変更することができる。そのため、積層部１３の高さを上下方向における高さ調整材１４の数を調整する場合に比べてさらに微調整することができる。
【符号の説明】
【００４４】
１０…高さ調節具（浴槽の高さ調節具）、１２…基台、１４…高さ調整材、１５…第一の穴、１６…第二の穴
【図１】
2018051182.tif 000003
【図２】
2018051182.tif 000004
【図３】
2018051182.tif 000005
【図４】
2018051182.tif 000006
【図５】
2018051182.tif 000007
【図６】
2018051182.tif 000008
【図７】
2018051182.tif 000009
【図８】
2018051182.tif 000010